(57)【要約】      （修正有）【課題】着座時に脊柱を圧迫せずに支持して着座者の背中にかかる負担を軽減する脊柱支持具を提供する。【解決手段】着座者の背面と背もたれ部分との間に介在させる脊柱支持具１０であって、着座者の脊柱部分に対応する間隔の隙間をあけて並設される一対の支持部材２０Ａ、２０Ｂと、支持部材２０Ａ、２０Ｂ間の隙間に位置する連結部材３０とを備え、連結部材３０は表面が支持部材２０Ａ、２０Ｂの表面より後退した位置となるよう支持部材２０Ａ、２０Ｂ間を連結しており、各支持部材２０Ａ、２０Ｂと連結部材３０は、可撓性のある柔軟な板材よりなる基材を含み、各支持部材２０Ａ、２０Ｂは、基材の表面にクッション材が接合されている。【選択図】図１
0003203067.tif 000002
【実用新案登録請求の範囲】
【請求項１】
着座者の背面と背もたれ部分との間に介在させる脊柱支持具であって、
着座者の脊柱部分に対応する間隔の隙間をあけて並設される一対の支持部材と、前記支持部材間の隙間に位置する連結部材とを備え、前記連結部材は表面が支持部材の表面より後退した位置となるよう支持部材間を連結しており、前記の各支持部材と連結部材は、可撓性のある柔軟な板材よりなる基材を含み、各支持部材は、前記基材の表面にクッション材が接合されている脊柱支持具。
【請求項２】
前記の各支持部材は、柱状体であって長さ方向を揃えて並設されており、各支持部材の対向する面の長さ中央部が前記連結部材により連結されている請求項１に記載の脊柱支持具。
【請求項３】
前記連結部材は、前記基材の表面に前記クッション材と同質のクッション材が接合されてなるものである請求項１に記載の脊柱支持具。
【請求項４】
前記の各支持部材と連結部材は、可撓性のある一連かつ一体の柔軟な板材により前記基材が構成されており、前記基材の表面の左右対称位置に前記隙間をあけて前記クッション材が接合されて前記の各支持部材が形成されている請求項１に記載の脊柱支持具。
【請求項５】
前記の各支持部材は、前記クッション材の表面にそのクッション材より軟質の第２のクッション材が接合されてなるものである請求項１に記載の脊柱支持具。
【請求項６】
請求項１〜５のいずれかに記載の脊柱支持具であって、前記の各支持部材と前記連結部材の全体を収容することが可能なカバーをさらに備えている脊柱支持具。
【請求項７】
前記カバーの内側には、保冷剤または保温剤が収容されるポケットが設けられている請求項６に記載の脊柱支持具。
【請求項８】
前記カバーの内側は、汗を吸収する吸汗材またはメッシュ材が貼り付けられている請求項６または７に記載の脊柱支持具。
【考案の詳細な説明】
【技術分野】
【０００１】
本考案は、脊柱支持具に関し、詳しくは着座者の背面と椅子等の背もたれ部分との間に介在させる脊柱支持具に関するものである。
【背景技術】
【０００２】
椅子や自動車の座席等に長時間着座した場合、腰部や背中に負担がかかり腰痛や猫背の原因となる。このため、腰部や背中にかかる負担を軽減する目的で、椅子や座席に用いられるクッションが各種開発されている。
例えば、特許文献１においては、大腿部から骨盤を経由し背中を支持する支持体を備えたクッションが提案されている。支持体の表面には、大腿部から背中まで対応するように伸長された２条の凹状溝が形成されている。椅子の表面の座席部から背もたれ部にわたって載置されたクッションに着座者が着席すると、大腿部及び臀部は２条の凹状溝によって支持され、脊柱及び脊柱起立筋は凹状溝の間の凸条部によって支持される。
【先行技術文献】
【特許文献】
【０００３】
【特許文献１】特開２０１４−１５８５７１号公報
【考案の概要】
【考案が解決しようとする課題】
【０００４】
しかし、着座者の背中は、脊柱が脊柱の両側の背面よりも張り出しているので、特許文献１のクッションにおいては、脊柱が凸条部によって支持されるため、長時間の使用により脊柱が圧迫されて背中が痛くなるという問題がある。
【０００５】
本考案は、上記した課題に着目してなされたものであり、着座時に脊柱を圧迫せずに支持して着座者の背中にかかる負担を軽減する脊柱支持具を提供することを目的とする。
【課題を解決するための手段】
【０００６】
本考案による脊柱支持具は、着座者の背面と背もたれ部分との間に介在させるものであって、着座者の脊柱部分に対応する間隔の隙間をあけて並設される一対の支持部材と、前記支持部材間の隙間に位置する連結部材とを備え、前記連結部材は表面が支持部材の表面より後退した位置となるよう支持部材間を連結しており、前記の各支持部材と連結部材は、可撓性のある柔軟な板材よりなる基材を含み、各支持部材は、前記基材の表面にクッション材が接合されているものであり、上記の目的はこの脊柱支持具により達成される。
【０００７】
上記の構成によれば、脊柱支持具の使用時には支持部材間の隙間に着座者の脊柱が収まり、支持部材により着座者の脊柱の両側の背面が支持されるため、着座時に脊柱を圧迫せずに背面が支持され、着座者の背中にかかる負担が軽減される。従って、車両の座席などに長時間着座する場合であっても、着座者は楽な姿勢を保ち快適に着座し続けることができる。
【０００８】
また、連結部材は表面が支持部材の表面より後退しているため、着座時に脊柱が連結部材に当たることなく、支持部材間の隙間に着座者の脊柱が収まる。また、連結部材は可撓性のある柔軟な基材であるため、連結部材が撓んで支持部材が互いに向き合う方向に変形しやすくなり、着座者の姿勢の変化に追従して着座者の背面を支持することができる。
【０００９】
好ましい実施形態においては、前記の各支持部材は、柱状体であって長さ方向を揃えて並設されており、各支持部材の対向する面の長さ中央部が前記連結部材により連結されている。
【００１０】
上記の構成によれば、各支持部材は長さ方向の中央部において連結されているので、一方の支持部材が前倒れ状態となり、他方の支持部材が後倒れ状態となるようなひねり方向への変形が可能となり、着座者の姿勢の変化に追従して着座者の背面を支持することができる。
【００１１】
好ましい実施形態においては、前記連結部材は、前記基材の表面に前記クッション材と同質のクッション材が接合されているが、必ずしもこれに限定されるものではない。
【００１２】
好ましい実施形態においては、前記の各支持部材と連結部材は、可撓性のある一連かつ一体の柔軟な板材により前記基材が構成されており、前記基材の表面の左右対称位置に前記隙間をあけて前記クッション材が接合されて前記の各支持部材が形成されている。
【００１３】
上記構成によれば、着座者の姿勢の変化により支持部材と連結部材との間に無理な力が加わっても、各支持部材と連結部材とが分離しにくい。
【００１４】
前記の各支持部材は、前記クッション材の表面にそのクッション材より軟質の第２のクッション材が接合されていることが好ましい。
【００１５】
上記の構成によれば、着座者の背面に軟質のクッション材が接触するため、背面への脊柱支持具の当たりが柔らかくなり、快適に着座することができる。
【００１６】
脊柱支持具は、汚れや異物の付着を防ぐために、前記の各支持部材と前記連結部材の全体を収容することが可能なカバーをさらに備えていてもよい。
【００１７】
また、前記カバーの内側に、保冷剤または保温剤が収容されるポケットを設けたり、汗を吸収する吸汗材またはメッシュ材が貼り付けられたりすると、着用感を向上することができる。
【考案の効果】
【００１８】
前述したように、本考案によれば、脊柱支持具の使用時には支持部材間の隙間に着座者の脊柱が収められ、支持部材により着座者の脊柱の両側の背面が支持されるため、着座時に脊柱を圧迫せずに背面が支持され、着座者の背中にかかる負担が軽減される。従って、車両の座席などに長時間着座する場合であっても、着座者は楽な姿勢を保ち快適に着座し続けることができる。
【図面の簡単な説明】
【００１９】
【図１】本考案の一実施形態に係る脊柱支持具の斜視図である。
【図２】脊柱支持具の正面図である。
【図３】脊柱支持具の側面図である。
【図４】図２のＡ−Ａ線から見た断面図である。
【図５】脊柱支持具の使用状態を示す側面図である。
【図６】脊柱支持具が変形した状態を示す上面図である。
【図７】脊柱支持具が変形した状態を示す側面図である。
【図８】脊柱支持具の変形例を示す正面図である。
【図９】脊柱支持具の他の変形例を示す断面図である。
【図１０】脊柱支持具の他の変形例を示す側面図である。
【図１１】脊柱支持具の他の変形例を示す側面図である。
【図１２】脊柱支持具の他の変形例を示す側面図である。
【図１３】カバーを備えた脊柱支持具を示す斜視図である。
【図１４】カバーを備えた脊柱支持具の他の例を示す斜視図である。
【考案を実施するための最良の形態】
【００２０】
本考案の実施形態を図面を参照して説明する。
図１〜図３は、本考案の一実施形態の脊柱支持具１０の外観を示すものである。
本考案の脊柱支持具１０は、図５に示すように、着座者Ｐの背面Ｐ１と椅子などの背もたれ部分Ｂとの間に介在させるものである。
なお、以下の説明では、図３において左側から右側に向かう方向を前方向とし、前方向と反対方向を後方向とし、図３において上下方向を脊柱支持具１０の上下方向とし、前後方向と上下方向とに直交する方向を左右方向としており、脊柱支持具１０が着座者Ｐの背面Ｐ１に接触する面を表面として、脊柱支持具１０の構成を説明する。
【００２１】
脊柱支持具１０は、着座者Ｐの脊柱部分に対応する間隔の隙間Ａをあけて並設される一対の支持部材２０Ａ、２０Ｂと、支持部材２０Ａ、２０Ｂの間の隙間Ａに位置する連結部材３０とを備えている。
なお、着座者Ｐの脊柱部分に対応する間隔の隙間Ａとは、人体の脊柱部分の平均的な幅より十分に大きい間隔の隙間Ａであることを指す。本実施形態では５ｃｍとしている。
【００２２】
各支持部材２０Ａ、２０Ｂは、図１に示すように、直方体よりなる柱状体であって、中心軸に対して線対称となるように長さ方向を揃えて並設されている。
各支持部材２０Ａ、２０Ｂの正面視において、図２に示すように、４つの角部に円弧状の面取部２１ａ〜２１ｄが形成されている。上側の角部の面取部２１ａ、２１ｂは、下側の角部の面取部２１ｃ、２１ｄよりも曲率半径が大きく形成されている。４つの面取部２１ａ〜２１ｄは、後述する基材４０及び第１のクッション材４１に形成されている。
【００２３】
支持部材２０Ａ、２０Ｂの前面には、正面視の上下左右の４つの周辺部にそれぞれ湾曲面２２ａ〜２２ｄが形成されている。図３に示すように、上側の湾曲面２２ａは曲率が下側の湾曲面２２ｂより大きい。また、図４に示すように、左右の湾曲面２２ｃ、２２ｄはそれぞれの曲率が一致している。これらの湾曲面２２ａ〜２２ｄは、第２のクッション材４２（後述）に形成されている。
【００２４】
なお、面取部２１ａ〜２１ｄや、湾曲面２２ａ〜２２ｄは、円弧状の面には限定されず、平面状であってもよい。
【００２５】
連結部材３０は、各支持部材２０Ａ、２０Ｂの内側の対向する面２０ｃの長さ中央部において、各支持部材２０Ａ、２０Ｂを連結しており、図４に示すように、連結部材３０の表面３０ａは支持部材２０Ａ、２０Ｂの表面２０ａより後退している。
【００２６】
各支持部材２０Ａ、２０Ｂ及び連結部材３０は、図４に示すように、共通する基材４０の表面に第１のクッション材４１が接合されて構成されている。基板４０は可撓性のある剛体でない柔軟な板材よりなる。第１のクッション材４１は基材４０の全体に着座者Ｐの脊柱部分に対応する間隔の隙間Ａを設けて接合されたものである。
【００２７】
支持部材２０Ａ、２０Ｂと連結部材３０とに共通する基材４０は、例えば、軟質ウレタンフォームを粉砕機でチップ化したものを接着成形によって固めたチップフォームであるが、可撓性のある剛体でない柔軟な素材であればこれに限定されない。
【００２８】
支持部材２０Ａ、２０Ｂと連結部材３０とに共通する第１のクッション材４１は、本実施形態では発泡ポリウレタンのスポンジ状素材を使用しているが、着座者Ｐの脊柱を支持することが可能な素材であればよく、例えば、発泡ポリエチレンなどのスポンジ状の素材であってもよく、ＮＢＲゴム（ニトリルゴム）、シリコンゴム、フッ素ゴム、ＥＰＤＭゴム（エチレンプロピレンジエンゴム）などのゴム状の素材であってもよく、他の素材であってもよい。
【００２９】
第１のクッション材４１は最適な固さのものを採択するが、ここでは採択した材料の固さを以下の方法を用いて特定する。
まず、第１のクッション材４１と同様の素材からなるサンプルとして、縦１５０ｍｍ、横１５０ｍｍ、厚み５５ｍｍの矩形状の材料を用意した。そして、直径３０ｍｍ、重量が５００ｇの円柱状の棒状部材の長さ方向の一方の端面を、このサンプルの表面に載置し、棒状部材の端面が沈む深さを測定し、これを材料の固さとした。
本実施形態では、棒状部材の端面が沈む深さが６ｍｍである固さの発泡ポリウレタンの素材から第１のクッション材４１を形成しているが、第１のクッション材４１の固さは本実施形態に限定されず、棒状部材の端面が沈む深さが２ｍｍ以上、１０ｍｍ以下の固さであってもよく、４ｍｍ以上、８ｍｍ以下の固さであってもよい。
【００３０】
各支持部材２０Ａ、２０Ｂは、第１のクッション材４１の表面に第１のクッション材４１より軟質の第２のクッション材４２が接着剤等により張り合わされている。第２のクッション材４２の素材は、本実施形態では発泡ポリウレタンのスポンジ状素材を使用しているが、着座者Ｐの脊柱を安定して支持することが可能なクッション性のある素材であればよく、例えば、発泡ポリエチレンなどのスポンジ状の素材であってもよく、ＮＢＲゴム（ニトリルゴム）、シリコンゴム、フッ素ゴム、ＥＰＤＭゴム（エチレンプロピレンジエンゴム）などのゴム状の素材であってもよく、他の素材であってもよい。
【００３１】
第２のクッション材４２の固さも、第１のクッション材４１と同様の測定方法により特定するもので、サンプルとして、厚みが３５ｍｍの矩形状の材料を用いた点で第１のクッション材４１のサンプルとは異なっている。
本実施形態では、棒状部材の端面が沈む深さが１５ｍｍである固さの発泡ポリウレタンの素材から第２のクッション材４２を形成した。
第２のクッション材４２の固さは本実施形態に限定されず、棒状部材の端面が沈む深さが１０ｍｍ以上、２０ｍｍ以下の固さであってもよく、１３ｍｍ以上、１７ｍｍ以下の固さであってもよい。
【００３２】
本実施形態では、支持部材２０Ａ、２０Ｂ間の隙間Ａの間隔を５ｃｍ、支持部材２０Ａ、２０Ｂの上下方向の長さを３０ｃｍ、支持部材２０Ａ、２０Ｂ及び連結部材３０の基材４０の厚み（前後方向の長さ）を１ｃｍ、支持部材２０Ａ、２０Ｂにおける第１のクッション材４１の厚みを５ｃｍ、第２のクッション材４２の厚みを３．５ｃｍ、連結部材３０における第１のクッション材４１の厚みを３ｃｍとしているが、これに限定されるものではなく、着座者Ｐの脊柱を保持することができれば任意の大きさであってもよい。
【００３３】
本考案の脊柱支持具１０は、図５に示すように、着座者Ｐが座席や椅子に着座した状態で、隙間Ａに脊柱が収まるように脊柱支持具１０を着座者Ｐの背面Ｐ１と座席や椅子の背もたれ部分Ｂとの間に介在させる。これにより、着座者Ｐの背面Ｐ１が脊柱支持具１０の支持部材２０Ａ、２０Ｂに支持される。
また、支持部材２０Ａ、２０Ｂは直方体形状であり、下端面２０ｂ（図３）は平坦であるため、脊柱支持具１０を座席や椅子に安定して載置させることができる。
【００３４】
また、着座者Ｐが姿勢を変化させると、脊柱支持具１０は連結部材３０を支点として変形する。例えば、図６に示すように支持部材２０Ａ、２０Ｂが互いに向き合う方向に変形したり、図７に示すように一方の支持部材２０Ａが前倒しの状態となり、他方の支持部材２０Ｂが後倒しの状態となるようにひねり方向へ変形するため、脊柱支持具１０は着座者Ｐの姿勢の変化に追従して着座者Ｐの背面Ｐ１を支持する。
【００３５】
本考案の脊柱支持具１０によれば、座席や椅子への着座時に脊柱を圧迫せずに背面が支持され、着座者Ｐの背中にかかる負担が軽減される。従って、車両の座席などに長時間着座する場合であっても、着座者Ｐは楽な姿勢を保ち快適に着座し続けることができる。
【００３６】
以上、本考案の一実施形態について説明したが、本考案は上記実施形態に限定されるものではなく、本考案の趣旨を逸脱しない限りにおいて種々の変更が可能である。
【００３７】
例えば、本実施形態では、各支持部材２０Ａ、２０Ｂを直方体としているが、立方体としてもよい。
また、図２における各支持部材２０Ａ、２０Ｂの一方の面取部２１ａのみを設け、他方の面取部２１ｂを設けなくてもよい。また、各支持部材２０Ａ、２０Ｂの上端部を上方に凸となる半楕円形又は半円形にしてもよい。
【００３８】
さらに、図８に示すように、連結部材３０は各支持部材２０Ａ、２０Ｂの下端まで延長させてもよい。すなわち、連結部材３０は支持部材２０Ａ、２０Ｂの対向する面２０ｃの長さ中央部から下部にかけて設けてもよい。
【００３９】
また、図９に示すように、連結部材３０に第１のクッション材４１を設けず、連結部材３０を基材４０のみで構成してもよい。
【００４０】
図１０〜図１２は支持部材２０Ａ、２０Ｂの変形例を示す。図１０〜図１２に示される支持部材２０Ａ、２０Ｂは、第２のクッション材４２の前面の形状が図１の実施形態とは異なっており、その他の構成については、図１の実施形態と同様であるため、同一の符号を付して説明を省略する。
【００４１】
図１０の例は、側面視において支持部材２０Ａ、２０Ｂの第２のクッション材４２の上部から中央部に亘って緩やかな凸曲面４２ａを形成している。
本実施形態では、凸曲面４２ａの頂点が支持部材２０Ａ、２０Ｂの下端から１５ｃｍ上方の位置となるように形成されている。
この構成によれば、着座者Ｐは腰部のへこみに凸曲面４２ａを当てて着座することで、腰部にかかる負担が軽減される。
【００４２】
図１１の例は、側面視において支持部材２０Ａ、２０Ｂの第２のクッション材４２の前側下縁が、前側上縁よりも前方位置にあり、支持部材２０Ａ、２０Ｂの下端部に緩やかな凹曲面４２ｂを形成している。
この構成によれば、支持部材２０Ａ、２０Ｂの凹曲面４２ｂに着座者Ｐのヒップ部の上部を沿わせて着座することで、ヒップ部の上部が支持される。
【００４３】
図１２の例は、側面視において支持部材２０Ａ、２０Ｂの第２のクッション材４２の上部から中央部に亘って、緩やかな凸曲面４２ａを形成し、第２のクッション材４２の前側下縁が、前側上縁よりも前方位置にあり、支持部材２０Ａ、２０Ｂの下端部に緩やかな凹曲面４２ｂを形成している。
この構成によれば、着座者Ｐは腰部のへこみに凸曲面４２ａを当てて着座することで、腰部にかかる負担が軽減され、支持部材２０Ａ、２０Ｂの凹曲面４２ｂに着座者Ｐのヒップ部の上部を沿わせて着座することで、ヒップ部の上部が支持される。
【００４４】
図１３に本考案の他の実施形態を示す。
図１３に示す実施形態の脊柱支持具１０は、図１〜図１２のいずれかの実施形態の各支持部材２０Ａ、２０Ｂ及び連結部材３０の全体が収容可能な大きさのカバー５０をさらに備えている。
カバー５０の内側であって、支持部材２０Ａ、２０Ｂの表面２０ａに対応する位置に、保冷剤または保温剤５２が収容されるポケット５１が設けられている。
【００４５】
図１３において、カバー５０は略直方体形状であり、脊柱支持具１０の外側の全体を覆っている。隙間Ａは支持部材２０Ａ、２０Ｂの表面２０ａに連続してカバー５０で覆われており、各支持部材２０Ａ、２０Ｂの対向する面２０ｃや連結部材３０の表面３０ａ及び上下面はカバー５０に接していない。
【００４６】
カバー５０には脊柱支持具１０を内部に挿入するための開口（図示せず）が設けられている。
カバー５０は伸縮自在な布から形成されているので、着座者Ｐが着座する際には、カバー５０が脊柱にあたって伸びて隙間Ａに脊柱が収まることができ、また、開口から脊柱支持具１０を挿入しやすくなる。また、カバー５０を西陣織など金銀色の糸を織り交ぜた美麗な布から形成することで、見栄えを良くし高級感を付与することができる。
【００４７】
なお、ポケット５１の位置は支持部材２０Ａ、２０Ｂの表面２０ａに対応する位置に限定されず、例えば、支持部材２０Ａ、２０Ｂの側面に対応する位置に形成してもよい。また、支持部材２０Ａ、２０Ｂの表面２０ａ全体に設ける必要はなく、支持部材２０Ａ、２０Ｂの上部、中央部、下部の少なくともいずれかに設けられていてもよい。
【００４８】
上記の構成によれば、カバー５０のポケット５１に保冷剤または保温剤５２が収容可能であるため、着座者Ｐの背中を冷却したり、暖めることができ、快適に脊柱支持具１０を用いて座席や椅子に着座することができる。
【００４９】
なお、カバー５０は、各支持部材２０Ａ、２０Ｂの対向する面２０ｃや連結部材３０の表面３０ａ及び上下面に接する形状のものとしてもよい。
また、カバー５０には着座者Ｐや椅子に脊柱支持具１０を固定するためのベルト（図示せず）が取り付けられていてもよい。
【００５０】
図１４に示す実施形態の脊柱支持具１０は、図１３のカバー５０のポケット５１に代えて、カバー５０の内側であって支持部材２０Ａ、２０Ｂの表面２０ａに対応する位置に、汗を吸収する吸汗材または通気性を確保するメッシュ材５３が貼り付けられている。その他の構成については、図１３の実施形態と同様であるため、説明を省略する。
上記の構成によれば、カバー５０の内側に吸汗材またはメッシュ材５３を貼り付けているので、着座者Ｐは腰部や背中が蒸れにくく、快適に脊柱支持具１０を用いて座席や椅子に着座することができる。
【００５１】
なお、カバー５０の素材自体を吸汗材またはメッシュ材５３で構成してもよい。
また、図１３に示すカバー５０のポケット５１を支持部材２０Ａ、２０Ｂの表面２０ａに対応する位置の一部に設け、図１４に示す吸汗材またはメッシュ材５３を支持部材２０Ａ、２０Ｂの表面２０ａに対応する位置の他の部分に対応する位置に設けてもよい。また、支持部材２０Ａ、２０Ｂの側面に対応する位置にポケット５１を設け、支持部材２０Ａ、２０Ｂの表面２０ａに対応する位置に吸汗材またはメッシュ材５３を設けてもよい。
【符号の説明】
【００５２】
１０  脊柱支持具
２０Ａ、２０Ｂ  一対の支持部材
２０ａ  支持部材の表面
２０ｃ  支持部材の対向する面
３０  連結部材
３０ａ  連結部材の表面
４０  基材
４１  第１のクッション材
４２  第２のクッション材
５０  カバー
５１  ポケット
５２  保冷剤
５３  吸汗材
Ｐ  着座者
Ｐ１  着座者の背面
Ｂ  背もたれ部分
Ａ  着座者の脊柱部分に対応する間隔の隙間
【図１】
0003203067.tif 000003
【図２】
0003203067.tif 000004
【図３】
0003203067.tif 000005
【図４】
0003203067.tif 000006
【図５】
0003203067.tif 000007
【図６】
0003203067.tif 000008
【図７】
0003203067.tif 000009
【図８】
0003203067.tif 000010
【図９】
0003203067.tif 000011
【図１０】
0003203067.tif 000012
【図１１】
0003203067.tif 000013
【図１２】
0003203067.tif 000014
【図１３】
0003203067.tif 000015
【図１４】
0003203067.tif 000016